(57)【特許請求の範囲】
【請求項１】
中空のかご室と、
前記かご室の天井に設けられた非常救出口に開閉可能に設けられた非常救出口装置と、を備え、
前記非常救出口装置は、
前記非常救出口を覆う救出扉と、
前記救出扉を前記天井に対して回動可能に支持するヒンジ部と、
前記救出扉を施錠可能に施錠する施錠装置と、を備え、
前記施錠装置は、
前記救出扉に設けられた筐体と、
前記筐体に収容されたカム体と、
前記筐体に収容され、前記カム体を回転可能に支持する回転軸と、
前記筐体に収容され、前記施錠装置の施錠状態と解錠状態を検出する検出スイッチと、
前記天井に配置され、前記施錠状態において前記カム体と係合することで前記救出扉の開放動作を規制する係合部材と、を備え、
前記カム体は、
前記係合部材と係合する第１カム片と、
前記カム体が前記施錠状態における位置から前記解錠状態における位置に回転した際に、前記検出スイッチに設けた電気接点のオン・オフを切り替える切替可動部を押圧する第２カム片と、を有し、
前記施錠装置は、
前記カム体の回転操作を行う把持部を備え、
前記把持部は、前記カム体の投影面内に収まる
乗りかご。
【請求項２】
中空のかご室と、
前記かご室の天井に設けられた非常救出口に開閉可能に設けられた非常救出口装置と、を備え、
前記非常救出口装置は、
前記非常救出口を覆う救出扉と、
前記救出扉を前記天井に対して回動可能に支持するヒンジ部と、
前記救出扉を施錠可能に施錠する施錠装置と、を備え、
前記施錠装置は、
前記救出扉に設けられた筐体と、
前記筐体に収容されたカム体と、
前記筐体に収容され、前記カム体を回転可能に支持する回転軸と、
前記筐体に収容され、前記施錠装置の施錠状態と解錠状態を検出する検出スイッチと、
前記天井に配置され、前記施錠状態において前記カム体と係合することで前記救出扉の開放動作を規制する係合部材と、を備え、
前記カム体は、
前記係合部材と係合する第１カム片と、
前記カム体が前記施錠状態における位置から前記解錠状態における位置に回転した際に、前記検出スイッチに設けた電気接点のオン・オフを切り替える切替可動部を押圧する第２カム片と、を有し、
前記施錠装置は、
前記筐体に設けられ、前記カム体が前記施錠状態における位置から解錠方向に回転した際に、前記第１カム片における解錠方向側の端部と当接する規制片と、
前記第１カム片における施錠方向側の端部に当接し、前記カム体における施錠方向への回転を規制するロック機構と、を備えた
乗りかご。
【請求項３】
中空のかご室と、
前記かご室の天井に設けられた非常救出口に開閉可能に設けられた非常救出口装置と、を備え、
前記非常救出口装置は、
前記非常救出口を覆う救出扉と、
前記救出扉を前記天井に対して回動可能に支持するヒンジ部と、
前記救出扉を施錠可能に施錠する施錠装置と、を備え、
前記施錠装置は、
前記救出扉に設けられた筐体と、
前記筐体に収容されたカム体と、
前記筐体に収容され、前記カム体を回転可能に支持する回転軸と、
前記筐体に収容され、前記施錠装置の施錠状態と解錠状態を検出する検出スイッチと、
前記天井に配置され、前記施錠状態において前記カム体と係合することで前記救出扉の開放動作を規制する係合部材と、を備え、
前記カム体は、
前記係合部材と係合する第１カム片と、
前記カム体が前記施錠状態における位置から前記解錠状態における位置に回転した際に、前記検出スイッチに設けた電気接点のオン・オフを切り替える切替可動部を押圧する第２カム片と、を有し、
前記施錠装置は、
前記カム体の回転操作を行う把持部と、
前記筐体に設けられ、前記カム体が前記施錠状態における位置から解錠方向に回転した際に、前記第１カム片における解錠方向側の端部と当接する規制片と、
前記カム体における施錠方向への回転を規制するロック機構と、を備え、
前記筐体は、
前記救出扉に載置されるベース板と、
前記ベース板に対向し、前記検出スイッチを覆い、前記把持部を臨む開口部が形成された蓋体と、
前記ベース板の一端部から略垂直に連続する第１側板と、
前記ベース板の他端部から略垂直に連続し、前記第１側板と対向する第２側板と、を有し、
前記カム体は、平板状に形成され、前記ベース板の一面と略平行に回転し、
前記第１カム片は、前記カム体の側部から扇形状に張り出し、前記施錠装置の施錠状態において前記係合部材の上下方向の下方に配置され、
前記把持部は、前記カム体における前記ベース板と対向する一面とは反対側の他面に設けられ、前記カム体の投影面内に収まり、
前記ロック機構は、
前記第１側板から突出する揺動軸と、
前記揺動軸に揺動可能に支持され、前記施錠装置の施錠状態において前記第１カム片における施錠方向側の端部に当接するロック部材と、を備えた
乗りかご。
【請求項４】
昇降路内を昇降動作する乗りかごと、
前記乗りかごに接続されたロープと、
前記ロープが巻き掛けられる巻上機と、
前記巻上機の駆動を制御する制御部と、を備え、
前記乗りかごは、請求項１〜請求項３のいずれか１項に記載の乗りかごである
エレベーター。
【発明の詳細な説明】
【技術分野】
【０００１】
本発明は、非常救出口装置を有する乗りかご、及びこの乗りかごを備えたエレベーターに関するものである。
【背景技術】
【０００２】
エレベーターの乗りかごには、非常時に乗りかご内の乗客を救出するための非常救出口装置が設けられている。非常救出口装置は、乗りかごの天井に配置されている。また、非常救出口装置は、救出扉の施錠を解錠した際には、安全のために乗りかごの昇降動作を停止するスイッチが設けられている。【０００３】
従来の非常救出口装置としては、例えば、特許文献１に記載されているようなものがある。この特許文献１には、天蓋板に設けられた接点スイッチと、救出口蓋に回動自在に設けられた偏芯カムと、一端が偏芯カムに固定され、他端が救出口蓋閉鎖時に、天蓋板に設けられたフックに係止されるロックバーと、を備えた非常救出口装置が記載されている。また、特許文献１に記載された技術では、救出口蓋に往復自在に設けられ、一側が付勢されて偏芯カムを押圧し、他側が接点スイッチに当接するバーと、偏芯カムと一体に回動する軸とを備えている。
【先行技術文献】
【特許文献】
【０００４】
【特許文献１】特開平９−２７８３０３号公報
【発明の概要】
【発明が解決しようとする課題】
【０００５】
しかしながら、特許文献１に記載された技術では、検出スイッチを示す接点スイッチが天井パネルを示す天蓋板に設けられ、この接点スイッチのオンとオフを切り替えるロックバーが救出口蓋に設けられている。このように、接点スイッチとロックバーがそれぞれ別々の部材に配置されているため、周囲の構成物の配置に対して影響を与えるだけでなく、非常救出口装置の大型化を招いていた。【０００６】
本発明の目的は、上記の問題点を考慮し、非常救出口装置の小型化を図ることができる乗りかご及びエレベーターを提供することにある。
【課題を解決するための手段】
【０００７】
上記課題を解決し、本発明の目的を達成するため、本発明の乗りかごは、中空のかご室と、かご室の天井に設けられた非常救出口に開閉可能に設けられた非常救出口装置と、を備えている。非常救出口装置は、救出扉と、ヒンジ部と、施錠装置と、を備えている。救出扉は、非常救出口を覆う。ヒンジ部は、救出扉を天井に対して回動可能に支持する。施錠装置は、救出扉を施錠可能に施錠する。施錠装置は、筐体と、カム体と、回転軸と、検出スイッチと、係合部材と、を備えている。筐体は、救出扉に設けられている。カム体は、筐体に収容されている。回転軸は、筐体に収容され、カム体を回転可能に支持する。検出スイッチは、筐体に収容され、施錠装置の施錠状態と解錠状態を検出する。係合部材は、天井に配置され、施錠状態においてカム体と係合することで救出扉の開放動作を規制する。そして、カム体は、係合部材と係合する第１カム片と、カム体が施錠状態における位置から解錠状態における位置に回転した際に、検出スイッチに設けた電気接点のオン・オフを切り替える切替可動部を押圧する第２カム片とを有する。
さらに、本発明の乗りかごは、次の（１）〜（３）のいずれかの構成を有する。
（１）施錠装置は、カム体の回転操作を行う把持部を備え、把持部は、カム体の投影面内に収まる。
（２）施錠装置は、筐体に設けられ、カム体が施錠状態における位置から解錠方向に回転した際に、第１カム片における解錠方向側の端部と当接する規制片と、第１カム片における施錠方向側の端部に当接し、カム体における施錠方向への回転を規制するロック機構と、を備える。
（３）施錠装置は、カム体の回転操作を行う把持部と、筐体に設けられ、カム体が施錠状態における位置から解錠方向に回転した際に、第１カム片における解錠方向側の端部と当接する規制片と、カム体における施錠方向への回転を規制するロック機構と、を備え、筐体は、救出扉に載置されるベース板と、ベース板に対向し、検出スイッチを覆い、把持部を臨む開口部が形成された蓋体と、ベース板の一端部から略垂直に連続する第１側板と、ベース板の他端部から略垂直に連続し、第１側板と対向する第２側板と、を有し、カム体は、平板状に形成され、ベース板の一面と略平行に回転し、第１カム片は、カム体の側部から扇形状に張り出し、施錠装置の施錠状態において係合部材の上下方向の下方に配置され、把持部は、カム体におけるベース板と対向する一面とは反対側の他面に設けられ、カム体の投影面内に収まり、ロック機構は、第１側板から突出する揺動軸と、揺動軸に揺動可能に支持され、施錠装置の施錠状態において第１カム片における施錠方向側の端部に当接するロック部材と、を備える。
【０００８】
また、本発明のエレベーターは、昇降路内を昇降動作する乗りかごと、乗りかごに接続されたロープと、ロープが巻き掛けられる巻上機と、巻上機の駆動を制御する制御部と、を備えている。乗りかごは、上述した乗りかごが用いられる。
【発明の効果】
【０００９】
本発明の乗りかご及びエレベーターによれば、非常救出口装置の小型化を図ることができる。
【図面の簡単な説明】
【００１０】
【図１】実施の形態例にかかるエレベーターを示す概略構成図である。
【図２】実施の形態例にかかる乗りかごを示す斜視図である。
【図３】実施の形態例にかかる乗りかごにおけるかご室の上部を示す平面図である。
【図４】実施の形態例にかかる乗りかごに設けた非常救出口装置を示す断面図である。
【図５】実施の形態例にかかる非常救出口装置の施錠装置を示す平面図である。
【図６】実施の形態例にかかる非常救出口装置のロック機構を示す説明図である。
【図７】実施の形態例にかかる非常救出口装置の施錠装置を示す断面図である。
【図８】実施の形態例にかかる非常救出口装置における施錠装置の解錠状態を示す平面図である。
【図９】図８の状態におけるロック機構を示す説明図である。
【図１０】実施の形態例にかかる非常救出口装置における救出扉を開放した状態の施錠装置を示す平面図である。
【図１１】図１０の状態におけるロック機構を示す説明図である。
【発明を実施するための形態】
【００１１】
以下、本発明の乗りかご及びエレベーターの実施の形態例について、図１〜図１１を参照して説明する。なお、各図において共通の部材には、同一の符号を付している。
【００１２】
１．エレベーターの構成
まず、本発明の実施の形態例（以下、「本例」という。）にかかるエレベーターの構成について、図１を参照して説明する。
図１は、本例のエレベーターの構成例を示す概略構成図である。
【００１３】
図１に示すように、本例のエレベーター１は、建築構造物内に形成された昇降路１１０に設けられている。エレベーター１は、昇降路１１０内を昇降動作し、人や荷物を載せる乗りかご１２０と、ロープ１３０と、釣合錘１４０と、巻上機１００と、制御部１９０とを備えている。昇降路１１０の頂部には、機械室１６０が設けられている。
【００１４】
巻上機１００は、機械室１６０に配置され、ロープ１３０を巻き掛けることにより乗りかご１２０を昇降させる。また、巻上機１００の近傍には、ロープ１３０が装架される反らせ車１５０が設けられている。
【００１５】
ロープ１３０の軸方向の一端には、乗りかご１２０が取り付けられており、ロープ１３０の軸方向の他端には、釣合錘１４０が取り付けられている。そのため、乗りかご１２０は、ロープ１３０を介して釣合錘１４０と連結される。そして、巻上機１００が駆動すると、乗りかご１２０と釣合錘１４０が昇降動作する。
【００１６】
制御部１９０は、例えば、機械室１６０に設置されている。そして、制御部１９０は、巻上機１００の駆動を制御している。
【００１７】
［乗りかご］
次に、図２及び図３を参照して乗りかご１２０の構成について説明する。
図２は、乗りかご１２０を示す斜視図、図３は、乗りかご１２０を示す平面図である。
【００１８】
図２に示すように、乗りかご１２０は、かご室１２１と、ドアユニット１２２と、を有している。
かご室１２１は、中空の略直方体状に形成されている。かご室１２１には、一面が開口した出入り口１２４が設けられている。そして、かご室１２１の内部空間には、出入り口１２４から人や荷物が出入りされる。この出入り口１２４には、ドアユニット１２２のドア１２３が開閉可能に設置されている。
【００１９】
また、かご室１２１は、かご床１２７と、側板１２６と、天井１２５とを備えている。かご床１２７は、略矩形状に形成されている。かご床１２７の周囲には、側板１２６が配置されている。かご床１２７の周囲を囲む側板１２６のうち一つの側板１２６には、出入り口１２４が形成されている。
【００２０】
天井１２５は、かご床１２７に対して鉛直方向に対向している。天井１２５は、かご床１２７と同様に、略矩形状に形成されている。図３に示すように、天井１２５は、複数（本例では、３枚）のパネル板２Ａ、２Ｂ、２Ｃから構成されている。パネル板２Ａ、２Ｂ、２Ｃは、平板状に形成されている。そして、複数のパネル板２Ａ、２Ｂ、２Ｃは、水平方向と略平行に並べて配置されている。また、パネル板２Ｂにおける隣り合うパネル板２Ａ、２Ｃ側の端部は、隣り合うパネル板２Ａ、２Ｃと共に上下方向の上方に折り返された折り返し部２ａが形成されている。
【００２１】
複数のパネル板２Ａ、２Ｂ、２Ｃのうち中間に配置されたパネル板２Ｂには、略矩形状に開口した非常救出口３が形成されている。非常救出口３は、パネル板２Ｂにおける隣り合うパネル板２Ｃ側の端部に形成されている。非常救出口３の開口を塞ぐようにして、パネル板２Ｂには、非常救出口装置１０が設けられている。
【００２２】
なお、本例では、中間のパネル板２Ｂに非常救出口装置１０を設けた例を説明したが、これに限定されるものではなく、両側のパネル板２Ａ、２Ｃに非常救出口装置１０を設けてもよい。
【００２３】
［非常救出口装置］
次に、図３〜図７を参照して非常救出口装置１０の構成について説明する。
図４は、非常救出口装置１０を示す断面図である。
【００２４】
図３に示すように、非常救出口装置１０は、救出扉１１と、ヒンジ部１２と、救出扉１１を施錠可能に施錠する施錠装置１３とを有している。救出扉１１は、略平板状に形成されている。また、救出扉１１は、非常救出口３の開口の形状に対応して、略矩形状に形成されている。図４に示すように、この救出扉１１は、ヒンジ部１２を介してパネル板２Ｂに開閉可能に取り付けられている。そして、救出扉１１は、非常救出口３を覆う。さらに、救出扉１１におけるパネル板２Ｂに隣り合うパネル板２Ｃ側の端部には、施錠装置１３が設けられている。
【００２５】
図５は、施錠装置１３を示す平面図、図６は、施錠装置１３を隣り合うパネル板２Ｃ側から見た側面図、図７は、施錠装置１３を示す断面図である。
図５に示すように、施錠装置１３は、筐体２０と、カム体２１と、回転軸２２と、検出スイッチ２３と、ロック機構２４と、係合部材２５と、ガイドピン２６と、規制片２７と、有している。また、施錠装置１３は、カム体２１に設けられた把持部２８を有している。
【００２６】
筐体２０は、ベース板３１と、蓋体３２と、第１側板３３と、第２側板３４とを有している。そして、筐体２０は、平板状の部材を折り曲げることで、中空の略直方体状に形成されている。
【００２７】
ベース板３１は、略長方形状の略平板状に形成されている。ベース板３１は、救出扉１１に載置される。このベース板３１には、カム体２１、回転軸２２、検出スイッチ２３、ロック機構２４、ガイドピン２６及び規制片２７が配置される。さらに、ベース板３１の上下方向の上方には、蓋体３２が配置される。
【００２８】
蓋体３２は、ベース板３１に対して上下方向で対向して設けられている。蓋体３２は、ベース板３１に配置された、カム体２１、回転軸２２、検出スイッチ２３、ロック機構２４、ガイドピン２６及び規制片２７を覆う。これにより、検出スイッチ２３が作業者に踏まれたり、検出スイッチ２３にゴミが付着したりすることを防ぐことができる。また、蓋体３２には、開口部３２ａが形成されている。蓋体３２の開口部からは、ベース板３１に設けられたカム体２１及び把持部２８を臨む。
【００２９】
また、ベース板３１における折り返し部２ａ側の端部には、第１側板３３が略垂直に連続している。ベース板３１における第１側板３３とは反対側の端部には、第２側板３４が略垂直に連続している。第１側板３３と第２側板３４は、ベース板３１を間に挟んで対向する。第１側板３３は、折り返し部２ａと対向する。また、図５及び図６に示すように、第１側板３３には、ロック機構２４が配置される。
【００３０】
次に、カム体２１及び回転軸２２について説明する。
回転軸２２は、ベース板３１から略垂直に立設している。また、図７に示すように、回転軸２２における軸方向の一端部、すなわち上下方向の下端部は、ベース板３１及び救出扉１１を貫通し、パネル板２Ｂまで突出している。この回転軸２２の一端部には、キー溝２２ａが形成されている。そして、キー溝２２ａは、乗りかご１２０のかご室１２１の内部に露出している。このキー溝２２ａに工具を挿入することで、かご室１２１の内部から回転軸２２を回転させることが可能となる。
【００３１】
回転軸２２の軸方向の他端部、すなわち上下方向の上端部には、カム体２１が設けられている。カム体２１は、略円形の平板状に形成されている。カム体２１は、回転軸２２を介してベース板３１に回転可能に支持されている。また、カム体２１は、回転軸２２を介してベース板３１と対向し、ベース板３１の一面と略平行に回転する。
【００３２】
図５に示すように、カム体２１は、第１カム片３５と、第２カム片３６と、第３カム片３７とを有している。第１カム片３５、第２カム片３６、第３カム片３７は、カム体２１の側部においてカム体２１の周方向に沿って形成されている。
【００３３】
第１カム片３５は、カム体２１の側部から折り返し部２ａに向けて張り出している。また、第１カム片３５は、略扇形に形成されている。図５及び図６に示す施錠状態では、第１カム片３５は、後述する係合部材２５の上下方向の下方に配置される。また、第１カム片３５の外縁部の角部には、面取りが施されている。そのため、第１カム片３５の外縁部は、テーパー状に形成されている。
【００３４】
カム体２１の周方向における第１カム片３５の端部には、第２カム片３６が連続して形成されている。第２カム片３６は、カム体２１の側部から半径方向の外側に向けて張り出している。なお、第２カム片３６の張り出し長さは、第１カム片３５の張り出し長さよりも短く設定されている。
【００３５】
また、カム体２１の周方向における第１カム片３５と第２カム片３６の間には、第３カム片３７が形成されている。第３カム片３７は、カム体２１の側部から半径方向の外側に向けて張り出している。また、第３カム片３７の張り出し長さは、第２カム片３６の張り出し長さよりも長く設定され、第１カム片３５の張り出し長さよりも短く設定されている。施錠状態において、第２カム片３６と第３カム片３７の間には、後述する検出スイッチ２３のローラ部４３が配置される。
【００３６】
さらに、カム体２１におけるベース板３１と対向する一面には、第１ガイド穴３８と、第２ガイド穴３９が形成されている。第１ガイド穴３８は、第１カム片３５と第２カム片３６の間に形成されている。第２ガイド穴３９は、第３カム片３７に形成されている。この第１ガイド穴３８と第２ガイド穴３９には、ガイドピン２６が嵌り込む。
【００３７】
ガイドピン２６は、ベース板３１から略垂直に突出している。ガイドピン２６は、ベース板３１における回転軸２２の近傍に配置されている。また、ガイドピン２６の先端部は、カム体２１の一面と対向する。図５及び図７に示すように、施錠状態では、ガイドピン２６は、第１ガイド穴３８に嵌り込む。また、解錠状態では、ガイドピン２６は、第２ガイド穴３９に嵌り込む（図８及び図１０参照）。さらに、ガイドピン２６が、第１ガイド穴３８又は第２ガイド穴３９に嵌り込む際に、クリック音及びクリック感が発生する。
【００３８】
また、カム体２１におけるベース板３１と対向する一面とは反対側の他面には、把持部２８が設けられている。把持部２８は、作業者によって把持可能に構成されている。把持部２８は、蓋体３２に設けた開口部３２ａを臨む。この把持部２８を作業者が操作することで、カム体２１が回転軸２２を中心に回転する。
【００３９】
上述したように、カム体２１を平板状に形成することで、カム体２１の厚み方向の大きさを小さくすることができる。さらに、カム体２１の回転操作を行う把持部２８は、カム体２１の投影面内に収まっており、ハンドルやバーのような構成物を用いることなく、カム体２１を回転させることができる。これにより、施錠装置１３の筐体２０から、ハンドルやバー等が突出し、近傍の構成物に干渉することを防ぐことができる。
【００４０】
また、カム体２１を図５に示す施錠状態の位置で保持するトグルばねを回転軸２２やカム体２１に設けてもよい。
【００４１】
次に、検出スイッチ２３について説明する。
検出スイッチ２３は、強制開離機構を有するスイッチである。検出スイッチ２３は、本体部４１と、切替可動部４２と、ローラ部４３とを有している。本体部４１には、不図示の電気接点が設けられている。また、本体部４１は、電気接点が切り替わることで、施錠装置１３の施錠状態と解錠状態を検出する。本体部４１は、電気接点のオン・オフが切り替えられると、その検出信号を制御部１９０（図１参照）に出力する。本体部４１の電気接点のオン・オフの切り替えは、切替可動部４２により行われる。
【００４２】
切替可動部４２は、本体部４１に揺動可能に支持されている。切替可動部４２は、ベース板３１の平面と略平行に揺動する。切替可動部４２は、揺動する際に、本体部４１に設けた不図示の電気接点のオン・オフを切り替える。また、切替可動部４２は、本体部４１からカム体２１の側部に向けて突出している。また、切替可動部４２は、不図示の付勢部材により図５に示す状態に保持されている。
【００４３】
切替可動部４２における本体部４１と反対側の端部、すなわちカム体２１側の端部には、ローラ部４３が回転可能に設けられている。ローラ部４３は、カム体２１における側部に当接している。なお、図５に示すように、施錠状態では、ローラ部４３は、カム体２１における第２カム片３６と第３カム片３７の間の側部に当接する。そして、ローラ部４３は、第２カム片３６と第３カム片３７の間の側部により、保持される。これにより、切替可動部４２が作業者の意図に反して揺動することを防ぐことができる。
【００４４】
また、カム体２１が解錠方向（本例では、時計方向）に回転すると、ローラ部４３は、カム体２１における第２カム片３６の側部により押圧される（図８及び図１０参照）。そして、切替可動部４２は、揺動し、本体部４１の電気接点のオン・オフを切り替える。
【００４５】
また、検出スイッチ２３の近傍には、規制片２７が配置されている。また、規制片２７は、検出スイッチ２３の本体部４１とカム体２１との間に配置されている。規制片２７は、ベース板３１から上下方向の上方に向けて略垂直に突出している。カム体２１を解錠方向に回転した際、規制片２７には、第１カム片３５における解錠方向側の端部が当接する（図８及び図１０参照）。そして、規制片２７は、カム体２１における解錠方向への回転を規制する。
【００４６】
次に、ロック機構２４について説明する。
図５及び図６に示すように、ロック機構２４は、第１側板３３に設けられている。ロック機構２４は、ロック部材４５と、揺動軸４６と、付勢ばね４７と、ストッパピン４８とを有している。揺動軸４６は、第１側板３３に設けられている。また、揺動軸４６は、第１側板３３を貫通し、その一端部が第１側板３３における折り返し部２ａと対向する一面に突出している。揺動軸４６の一端部には、ロック部材４５が揺動可能に支持されている。
【００４７】
ロック部材４５は、平板状に形成されている。ロック部材４５は、ロック片４５ａと、当接片４５ｂと、接続片４５ｃとを有している。接続片４５ｃは、略長方形状に形成されている。接続片４５ｃにおける長手方向の一端部には、ロック片４５ａが設けられており、接続片４５ｃにおける長手方向の他端部には、当接片４５ｂが設けられている。
【００４８】
ロック片４５ａは、接続片４５ｃの一端部から略垂直に突出している。当接片４５ｂは、接続片４５ｃの他端部からロック片４５ａとは反対向きに略垂直に突出している。また、接続片４５ｃには、揺動軸４６が取り付けられる。揺動軸４６を介して第１側板３３にロック部材４５を取り付けた際、ロック片４５ａは、ベース板３１から離反する方向、すなわち上下方向の上方に向けて突出する。これに対して、当接片４５ｂは、ベース板３１に接近する方向、すなわち上下方向の下方に向けて突出する。さらに、救出扉１１を閉じている状態では、当接片４５ｂは、パネル板２Ｂに当接する。
【００４９】
図５及び図７に示すように、ロック部材４５と第１側板３３の間には、付勢部材の一例を示す付勢ばね４７が配置される。付勢ばね４７は、揺動軸４６に取り付けられている。付勢ばね４７としては、例えば、ねじりコイルばねが用いられる。図６に示すように、付勢ばね４７の一端部４７ａは、ロック部材４５の接続片４５ｃに取り付けられている。また、付勢ばね４７の他端部４７ｂは、第１側板３３に取り付けられている。
【００５０】
そして、付勢ばね４７は、ロック片４５ａが上下方向の上方に向くようにロック部材４５を付勢している。なお、救出扉１１を閉じている状態では、当接片４５ｂがパネル板２Ｂに当接しているため、ロック部材４５の揺動動作は、停止している。このとき、ロック部材４５のロック片４５ａは、カム体２１の第１カム片３５の上下方向の下方に配置される。
【００５１】
なお、本例では、付勢部材の一例としてねじりコイルばねからなる付勢ばね４７を用いた例を説明したが、これに限定されるものではない。付勢部材としては、ロック部材４５を、ロック片４５ａが上方に向くように付勢することができる弾性部材であればよく、例えば、ゴム等を用いてもよい。
【００５２】
また、ストッパピン４８は、第１側板３３に設けられている。ストッパピン４８は、第１側板３３の一面から折り返し部２ａに向けて突出する。ストッパピン４８は、第１側板３３においてロック部材４５の接続片４５ｃの上下方向の下方に配置される。ロック部材４５が揺動した際に、ストッパピン４８は、接続片４５ｃに当接する（図１１参照）。これにより、ロック部材４５の揺動動作が、ストッパピン４８により規制される。
【００５３】
次に、係合部材２５について説明する。
図５及び図７に示すように、係合部材２５は、パネル板２Ｂの折り返し部２ａに固定されている。そして、また、係合部材２５は、一部が略垂直に屈曲した平板状に形成されている。そして、係合部材２５は、折り返し部２ａからカム体２１に向けて突出している。すなわち、非常救出口装置１０を構成する部材は、全てパネル板２Ｂ内に収まっている。これにより、非常救出口装置１０をパネル板２Ｂに設置する際に、パネル板２Ｂ以外のパネル板２Ａ、２Ｃや周囲の構成物の配置に影響を与えること防ぐことができ、非常救出口装置１０の設置作業を容易に行うことができる。
【００５４】
施錠状態では、係合部材２５は、第１カム片３５の上下方向の上方に配置される。係合部材２５と第１カム片３５が係合することで、救出扉１１の開放動作が規制される。その結果、非常救出口装置１０の施錠装置１３が施錠され、救出扉１１は、開放されない。
【００５５】
上述したように、本例の非常救出口装置１０によれば、施錠装置１３における係合部材２５を除く、全ての部材が筐体２０に収容されている。これにより、非常救出口装置１０の小型化を図ることができる。さらに、カム体２１や検出スイッチ２３が救出扉１１以外の構成物に配置されていないため、非常救出口装置１０が設置されるパネル板２Ｂ以外のパネル板２Ａ、２Ｃや周囲の構成物の配置に制限が生じることがなく、乗りかご１２０の設計の自由度を高めることができる。
【００５６】
２．施錠装置の動作
次に、上述した構成を有する非常救出口装置１０の施錠装置１３の動作について図８〜図１１を参照して説明する。
図８は、施錠装置１３の解錠状態を示す平面図、図９は、図８の状態におけるロック機構２４を示す図、図１０は、救出扉１１を開放した状態の施錠装置１３の平面図、図１１は、図１０の状態におけるロック機構２４を示す図である。
【００５７】
乗りかご１２０のかご室１２１内で乗客の閉じ込め事故等の非常時が発生した場合、作業者が乗りかご１２０の天井１２５の上部から非常救出口装置１０の施錠装置１３を解錠状態する。そして、作業者は、救出扉１１を開いて救出作業を行う。
【００５８】
具体的には、まず、作業者は、筐体２０に設けた開口部３２ａに手を挿入し、把持部２８を把持する。そして、作業者は、把持部２８を操作して、図８に示すように、カム体２１を時計方向に回転させる。カム体２１の回転動作に伴い、第１カム片３５は、係合部材２５の上下方向の下方を通過する。これにより、第１カム片３５と係合部材２５の係合状態が解除され、施錠装置１３が解錠状態となる。また、第１カム片３５における解錠方向側の端部が規制片２７に当接する。これにより、カム体２１の解錠方向への回転動作が規制される。
【００５９】
また、カム体２１の回転動作に伴い、第２カム片３６が検出スイッチ２３のローラ部４３を押圧する。そして、切替可動部４２が不図示の付勢部材の保持力に抗して揺動し、切替可動部４２は、本体部４１に設けた不図示の電気接点のオン・オフを切り替える。また、本体部４１は、電気接点が切り替わった際に、切替信号を制御部１９０（図１参照）に出力する。そして、制御部１９０は、切替信号を受信することで、巻上機１００の駆動を停止させ、乗りかご１２０の昇降動作を禁止させる。これにより、救出作業を安全に行うことができる。
【００６０】
このとき、ガイドピン２６は、カム体２１における解錠方向への回転に伴い、第１ガイド穴３８から外れる。そして、カム体２１の第１カム片３５が規制片２７に当接する際に、第２ガイド穴３９にガイドピン２６が嵌り込む。第２ガイド穴３９にガイドピン２６が嵌り込む際に、クリック感やクリック音が発生する。これにより、作業者に、第１カム片３５と係合部材２５の係合状態が解除され、本体部４１の電気接点のオン・オフを切り替わったことを報知させることができる。
【００６１】
図９に示すように、カム体２１が解錠方向に回転することで、ロック部材４５のロック片４５ａの上下方向の上方から第１カム片３５が移動する。そのため、ロック片４５ａの上下方向の上方は、開放される。
【００６２】
次に、作業者は、図４に示すように救出扉１１を、ヒンジ部１２を介して回動させて、非常救出口３を開放させる。これにより、図１０及び図１１に示すように、ロック部材４５の当接片４５ｂがパネル板２Ｂから離反し、当接片４５ｂの上下方向の下方が開放される。そして、付勢ばね４７の付勢力により、ロック部材４５は、ロック片４５ａが上下方向の上方に向けて上がるように揺動する。また、ロック部材４５が所定の角度で揺動すると、接続片４５ｃがストッパピン４８に当接する。これにより、ロック部材４５の揺動動作が停止する。
【００６３】
このとき、ロック片４５ａの上下方向の上端部は、カム体２１の第１カム片３５よりも上下方向の上方に配置される。さらに、ロック片４５ａは、第１カム片３５における施錠方向（反時計方向）の下流側に配置される。
【００６４】
そして、第１カム片３５における解錠方向（時計方向）側の端部が規制片２７に当接し、第１カム片３５における施錠方向（反時計方向）側の端部がロック片４５ａに当接する。そのため、カム体２１における解錠方向への回転と施錠方向への回転が共に規制され、カム体２１は、解錠状態で規制片２７とロック片４５ａにより保持される。また、カム体２１が解錠状態で保持されるため、検出スイッチ２３における切替可動部４２の揺動動作も保持され、電気接点のオン・オフが切り替わることがない。
【００６５】
これにより、救出扉１１を開放させた状態で、カム体２１が作業者の意図に反してカム体２１が施錠方向に回転し、検出スイッチ２３の電気接点のオン・オフが切り替わることを防止することができる。その結果、乗りかご１２０の昇降動作を禁止させた状態で維持することができ、救出作業の安全性を向上させることができる。
【００６６】
また、救出作業が終了すると、作業者は、図４に示すように、ヒンジ部１２を介して救出扉１１を回動させて、非常救出口３を閉じる。このとき、図９に示すように、ロック部材４５の当接片４５ｂがパネル板２Ｂに当接する。そのため、ロック部材４５は、付勢ばね４７の付勢力に抗して、ロック片４５ａが上下方向の下方に向けて下がるように揺動する。そして、ロック片４５ａは、第１カム片３５よりも上下方向の下方に配置される。
【００６７】
次に、作業者は、把持部２８を操作して、カム体２１を施錠方向（反時計方向）に回転させる。これにより、図５及び図６に示すように、係合部材２５の上下方向の下方に第１カム片３５が入り込み、係合部材２５と第１カム片３５が係合する。そのため、救出扉１１における開放方向への回動動作が係合部材２５と第１カム片３５により規制されて、施錠装置１３が施錠される。また、第１カム片３５の外縁部の角部は、テーパー状に形成されているため、カム体２１を施錠方向に回転した際に、第１カム片３５を係合部材２５の下方にスムーズに入れ込むことができる。
【００６８】
カム体２１が回転することで、第２カム片３６における検出スイッチ２３のローラ部４３への押圧が解除される。そのため、検出スイッチ２３の切替可動部４２が、図８及び図１０に示す状態から、不図示の付勢部材の保持力により図５に示す状態に揺動する。これにより、本体部４１の電気接点のオン・オフが切り替る。そして、本体部４１は、電気接点が切り替わった際に、切替信号を制御部１９０（図１参照）に出力する。そして、制御部１９０は、切替信号を受信することで、巻上機１００の駆動を許可し、乗りかご１２０の昇降動作を許可させる。これにより、乗りかご１２０が昇降可能な状態となる。
【００６９】
また、カム体２１の第３カム片３７がローラ部４３に当接することで、カム体２１の回転動作が規制される。さらに、ガイドピン２６は、カム体２１の回転に伴い、第２ガイド穴３９から外れ、第１ガイド穴３８に嵌り込む。この際に発生するクリック感やクリック音により、施錠装置１３が施錠されたことを作業者に報知させることができる。これにより、非常救出口装置１０を用いた救出作業が完了する。
【００７０】
なお、本発明は上述しかつ図面に示した実施の形態に限定されるものではなく、請求の範囲に記載した発明の要旨を逸脱しない範囲内で種々の変形実施が可能である。例えば、上述した実施の形態例では、当接片４５ｂがパネル板２Ｂに当接することでロック部材４５の揺動動作を規制する例を説明したが、これに限定されるものではない。
【００７１】
例えば、施錠状態においてロック部材４５のロック片４５ａをカム体２１の第１カム片３５に当接させることで、ロック部材４５の揺動動作を規制してもよい。この場合、カム体２１が解錠方向に回転した際に、ロック片４５ａの上下方向の上方が開放されるため、ロック部材４５を揺動させることができる。その結果、救出扉１１を開く前にカム体２１の回転動作を規制させることができる。
【００７２】
また、上述した構成を有する乗りかごは、昇降路内に機械室を有しない、いわゆる機械室レスエレベーターに適用してもよい。
【００７３】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００７４】
１…エレベーター、  ２Ａ、２Ｂ、２Ｃ…パネル板、  ２ａ…折り返し部、  ３…非常救出口、  １０…非常救出口装置、  １１…救出扉、  １２…ヒンジ部、  １３…施錠装置、  ２０…筐体、  ２１…カム体、  ２２…回転軸、  ２２ａ…キー溝、  ２３…検出スイッチ、  ２４…ロック機構、  ２５…係合部材、  ２６…ガイドピン、  ２７…規制片、  ２８…把持部、  ３１…ベース板、  ３２…蓋体、  ３２ａ…開口部、  ３３…第１側板、  ３４…第２側板、  ３５…第１カム片、  ３６…第２カム片、  ３７…第３カム片、  ３８…第１ガイド穴、  ３９…第２ガイド穴、  ４１…本体部、  ４２…切替可動部、  ４３…ローラ部、  ４５…ロック部材、  ４５ａ…ロック片、  ４５ｂ…当接片、  ４５ｃ…接続片、  ４６…揺動軸、  ４７ａ…一端部、  ４７ｂ…他端部、  ４８…ストッパピン、  １００…巻上機、  １１０…昇降路、  １２０…乗りかご、  １２１…かご室、  １２２…ドアユニット、  １２３…ドア、  １２４…出入り口、  １２５…天井、  １２６…側板、  １２７…かご床、  １３０…ロープ、  １４０…釣合錘、  １６０…機械室、  １９０…制御部
【図１】
0006780012.tif 000002
【図２】
0006780012.tif 000003
【図３】
0006780012.tif 000004
【図４】
0006780012.tif 000005
【図５】
0006780012.tif 000006
【図６】
0006780012.tif 000007
【図７】
0006780012.tif 000008
【図８】
0006780012.tif 000009
【図９】
0006780012.tif 000010
【図１０】
0006780012.tif 000011
【図１１】
0006780012.tif 000012